(57)【特許請求の範囲】
【請求項１】
櫛部を設けた櫛本体に連結柄部を連結する櫛の何れか一方の端部に筒状部を形成し、他方の端部に該筒状部に挿入する挿入突片を設けて、櫛本体に連結柄部を挿入して連結可能とされた櫛において、
前記筒状部の筒壁に係合窓が開口されるとともに、該筒壁の内面に前記挿入突片の挿入方向に延びるガイド突条が設けられ、
他方、前記挿入突片の先側から、斜め後方に向けて揺動可能な係合片が延出され、該係合片の先端面には、外側に前記係合窓の窓縁に当接係止する係合面が設けられるとともに、内側に該係合窓の窓縁の内面に当接する該係合面から突出する係止突起が形成され、さらに、前記挿入突片の側面には、前記ガイド突条に嵌合するガイド凹条が形成されていることを特徴とする櫛。
【請求項２】
係合窓が筒状部の対向する位置に形成され、また、挿入突片の両側に係合片が突出形成されていることを特徴とする請求項１記載の櫛。
【発明の詳細な説明】
【０００１】
【発明の属する技術分野】
この発明は、櫛、特に柄の中間部で連結可能とした櫛に関する。
【０００２】
【従来の技術】
一般に櫛は、頭髪を梳く櫛部と使用者が握る柄部が設けられて、比較的長いものである。ここで、櫛部と柄部を分割し、使用時に連結することにすれば、コンパクトに収納できることになる。係る観点から例えば特開２０００−２３４６０６号公報には、柄部の中間部で連結可能とした櫛が開示されている。この従来技術では、図５に示すように、一方の部材７０の端部に係合窓７１を設けた筒状部７２を設けている。また、他方の部材８０の端部に可撓性材料からなる二条の連結片８１を延長形成し、その先端に外側に向けて係合面８２を設けた係合突起８３を形成している。この係合面８２を連結片８１の延長方向に対して鋭角に形成して、たとえ頭髪を梳く際に、櫛に強い力が加わって、両部材間が折れ曲がるような力が作用しても、連結片が係合窓７１から外れないようにできるとしている。
【０００３】
【発明が解決しようとする課題】
しかし、この従来の技術にかかる櫛では、両部材７０，８０間を折り曲げるような力が作用すると、この力を延長形成された二本の連結片８１のみで受けて、容易に折れ曲がってしまう。これでは、櫛の使用者にとって、使い勝手がよく無いものであった。
【０００４】
そこで、本発明では、剛性のある連結部により櫛本体と連結柄部とを連結することによって、使い勝手のよいコンパクトに収納できる櫛とすることを目的としている。
【０００５】
【課題を解決するための手段】
請求項１の発明では、櫛部を設けた櫛本体に連結柄部を連結する櫛の何れか一方の端部に筒状部を形成し、他方の端部に筒状部に挿入する挿入突片を設けて、櫛本体に連結柄部を挿入して連結可能とされた櫛において、筒状部の筒壁に係合窓が開口されるとともに、筒壁の内面に挿入突片の挿入方向に延びるガイド突条が設けられ、他方、挿入突片の先側から、斜め後方に向けて揺動可能な係合片が延出され、係合片の先端面には、外側に係合窓の窓縁に当接係止する係合面が設けられるとともに、内側に係合窓の窓縁の内面に当接する係合面から突出する係止突起が形成され、さらに、挿入突片の側面には、ガイド突条に嵌合するガイド凹条が形成されている。
【０００６】
これにより、櫛を使用しない際には、櫛本体から連結柄部を分離し、コンパクトに収納できる。また、連結する際には、筒状部内へ挿入突片を挿入すると、ガイド突条にガイド凹条がガイドされ、係合片は筒状部の内壁に押圧されて撓みながら挿入され、係合片の弾性力により、係止突起が係合窓の窓縁の内面に当接してロックされる。
【０００７】
ここで、櫛を折り曲げるような力が作用しても、ガイド突条の側面にガイド凹条が当接して係合突片と筒状部の剛性によって、折れ曲がりが防止される。
【０００８】
【発明の効果】
以上説明したように、請求項１の発明では、櫛部を設けた櫛本体に連結柄部を連結する櫛の何れか一方の端部に筒状部を形成し、他方の端部に筒状部に挿入する挿入突片を形成し筒状部の壁面には、係合窓が設けられ、挿入突片の先側から、斜め後方に向けて揺動可能な係合片が延出され、係合片の先端面には、外側に係合窓の窓縁に当接係止する係合面が設けられるとともに、内側に係合窓の窓縁の内面に当接する係合面から突出する係止突起が形成されていることにより、櫛を使用する際に、連結柄部が櫛本体から外れにくく、また使いやすい櫛とすることができる。
【０００９】
請求項２の発明では、係合窓が筒状部の対向する位置に形成され、また、挿入突片の両側に係合片が突出形成されていることにより、安定した係合を得ることができる。
【００１０】
【発明の実施の形態】
以下、この発明を毛染め剤を頭髪に塗布する際に使用する櫛１を例に、図１〜図４を参照して説明する。
この櫛１は、図１、図２に示すように、連結部４で連結されて、全体として縦長の紡錘形状とされた櫛本体２と、連結柄部３の二部材により構成され、櫛本体２の基端部と連結柄部３に形成された連結部４で連結されている。上半部を構成する櫛本体２は、板状の合成樹脂からなり、図１において、先端に向けて先細り形状とされ、先側右側には、櫛部２１が一体成形により形成され、また、左側にはブラシ毛が列状に植設されたブラシ部２２が設けられている。そして、中央には表面を多数の凹凸形状の滑り止め突起２３が成形されている。さらに、櫛部２１と連結部の間、及びブラシ部２２と連結部４との間の櫛本体の左右面にも、滑り止め突起２４，２５がそれぞれ形成されている。
【００１１】
櫛１の連結柄部３の下半部を構成する連結柄部３は、板状の合成樹脂からなり、連結部４から徐々に先細りとされ、その先端が、頭髪を分ける分け目用先端３１とされている。また、連結柄部３の中央には、表面を多数の凹凸形状の滑り止め突起３２が成形されている。
【００１２】
この実施例の櫛１を使用して、毛染め剤を頭髪に塗布する際には、分け目用先端３１により頭髪を分け、次にブラシ部の先に毛染め剤を取って、分け目近傍の頭髪に毛染め剤を塗布し、毛染めする部位の頭髪に毛染め剤を塗布して、櫛部により頭髪を梳いて、毛染め剤を均一に延ばす。この作業を繰り返して、むらの無い毛染めを行うものである。
【００１３】
さて、この実施例の連結部４では、櫛本体２側が雄型とされ、連結柄部３側が雌型とされている。すなわち、図３に示すように、連結柄部３の先端に扁平な断面略方形の筒状部４０が形成され、この筒状部４０の左右側壁に開口する一対の係合窓４１，４１が設けられている。また、筒状部４０の上下内面中央には、ガイド突条４２が突出して設けられている。
【００１４】
また、櫛本体２の基端部には、筒状部４０に挿入される幅広の挿入突片５０が突出形成されている。この挿入突片５０の中央には、その上下面にガイド突条４２に嵌合するガイド凹条５１が形成されて、筒状部４０に挿入突片５０を挿入する際のガイドとされる。また、幅広の挿入突片５０の先端の左右位置から、一対の係合片５２、５２が斜め後方に向けて延出されて、係合片５２に左右に揺動可能な弾性が付与されている。係合片５２の先端面の外側は、平面とされた係合面５３とされて、係合窓４１の窓縁に当接係止可能とされている。また、係合片５２の先端面の内側は、係合面５３から突出する係止突起５４が突出形成されている。この構成によって、係合片５２が係合窓４１の窓縁に係止される際には、係合窓４１の窓縁の内面に係止突起５４が当接される。
【００１５】
次に、上記構成からなる実施例の櫛１の作用について説明する。
櫛１を使用しない際には、櫛本体２から連結柄部３が分離されて、重ねた状態とされ、これにより櫛１の長さは約１／２の長さにコンパクト化される。特にこの実施例の櫛１は、毛染め剤を収容した化粧箱に同梱されるため、毛染め剤の化粧箱にコンパクトに収納される。
【００１６】
そして、櫛本体１に連結柄部２を連結するに際しては、連結柄部２の筒状部４０内へ挿入突片５０を挿入すると、ガイド突条４２にガイド凹条５１がガイドされ、係合片５２は筒状部４０の内壁に押圧されて撓みながら挿入される。係合片５２の係合面５３が係合窓４１に達すると、係合片５２の弾性力により、係合片５２が広がり、図４に示すように、係止突起５４が係合窓４１の窓縁の内面に当接してロックされる。
【００１７】
ここで、連結柄部３を強く引っ張る力が作用すると、係合片５２は挿入突片５０の先端から斜め後方に向けて延出されているために、係合片５２は、当接する係合窓４１の窓縁を押圧する圧縮力が作用して外側に拡がる力が作用して、さらに、連結柄部３が櫛本体２から抜けることが防止される。
【００１８】
また、頭髪を梳いている際に、櫛１を折り曲げるような力が連結部４に作用すると、図３に示すように、筒状部４０の内面に形成したガイド突条４２の側面に、挿入突片５０に形成したガイド凹条５１が当接する。すなわち、幅広の係合突片５０と筒状部４０の剛性によって、連結部４の折れ曲がりが防止されて、櫛本体２に対して、連結柄部３がほぼ一直線上に保持されて使い勝手のよい櫛とされる。
また、連結柄部３を分離していても、従来技術に挙げた特開２０００ー２３４６０６号に開示されている連結片８１等のように、脆弱な部位が突出することもなく、安全性や耐久性に優れた櫛とすることができる。
【００１９】
なお、この実施例では、櫛本体２に挿入突片５０を設け、連結柄部３に筒状部４０を形成した例について説明したが、櫛本体側に筒状部を形成し、連結柄部側に挿入突片を設けて実施することもできる。
【００２０】
また、この実施例においては、係合片５２を挿入突片５０の先端両側に延出した例について説明したが、必ずしも両側に設ける必要はなく、片側のみに設けても実施することができる。
【図面の簡単な説明】
【図１】  正面図
【図２】  側面図
【図３】連結部を分離して示す一部切欠斜視図
【図４】連結状態を示す断面図
【図５】従来例を示す正面図
【符号の説明】
１…櫛
２…櫛本体
３…連結柄部
２１…櫛部
２２…ブラシ部
４０…筒状部
４１…係合窓
４２…ガイト突条
５０…挿入突片
５１…ガイド凹条
５２…係合片
５３…係合面
５４…係止突起
【図１】
0004782960.tif 000002
【図２】
0004782960.tif 000003
【図３】
0004782960.tif 000004
【図４】
0004782960.tif 000005
【図５】
0004782960.tif 000006